【手続補正書】
【提出日】令和2年5月18日(2020.5.18)
【手続補正１】
【補正対象書類名】明細書
【補正対象項目名】００１８
【補正方法】変更
【補正の内容】
【００１８】
〈基材フィルム２〉
基材フィルム２としては、透湿性、通気性を有しない、つまり非透湿性でかつ非通気性のフィルムを用いる。
基材フィルム２として、透湿性や通気性を有する紙などを用いた場合には、たとえば、高温高湿環境下で基材フィルム２を通して侵入した水分によって、接着層に含まれる硬化剤がロイコ色素と反応して、前述した地発色を生じる場合がある。
【手続補正２】
【補正対象書類名】明細書
【補正対象項目名】００２２
【補正方法】変更
【補正の内容】
【００２２】
〈接着層３〉
接着層３に含まれる反応硬化型接着剤としては、保護フィルム６と基材フィルム２とを、間に感熱記録層５、バリア層４を挟んだ状態で強固に接着することができる、種々の反応硬化型接着剤を用いることができる。
反応硬化型接着剤のうち主剤としては、たとえば、飽和または不飽和のポリエステルポオール、ポリカプロラクトンポリオール、飽和または不飽和の油変性もしくは脂肪酸変性アルキッドポリオール、アミノアルキッドポリオール、ポリカーボネートポリオール、アクリルポリオール、ポリエーテルポリオール、エポキシポリオール、含フッ素ポリオール等のポリオール；飽和または不飽和のポリエステル樹脂、ポリカプロラクトン樹脂、飽和または不飽和の油変性もしくは脂肪酸変性アルキッド樹脂、アミノアルキッド樹脂、ポリカーボネート樹脂、アクリル樹脂、ポリエーテル樹脂、エポキシ樹脂、ポリウレタン樹脂、セルロースアセテートブチラート樹脂、含フッ素樹脂等を用いることができる。
【手続補正３】
【補正対象書類名】明細書
【補正対象項目名】００２４
【補正方法】変更
【補正の内容】
【００２４】
とくに、反応硬化型接着剤としては、先に説明したように、ポリオールのうちポリエステルポリオール系の主剤と、芳香族ポリイソシアネート系の硬化剤とを組み合わせるのが好ましい。
ポリオールやポリエステル樹脂は、ウレタン系やエポキシ系の主剤に比べて、総じて、感熱発色剤を構成する顕色剤と反応しにくい傾向がある。とくに高温高湿環境下では、ポリエステル樹脂＞その他のポリオール＞ポリエーテルポリオール＞ポリエステルポリオールの順に、顕色剤との反応性が小さくなる傾向がある。そのため、ポリエステルポリオールを選択して用いることで顕色剤との反応を抑えて、印字時の発色不良を抑制することができる。
【手続補正４】
【補正対象書類名】明細書
【補正対象項目名】００３７
【補正方法】変更
【補正の内容】
【００３７】
溶剤として水を用いる場合、樹脂としては、上記樹脂のうち水溶性の樹脂、または水分散性の樹脂を選択して用いればよい。水溶性の樹脂は、水に溶解した水溶液の状態で、塗材として用いることができる。また、水分散性の樹脂は、分散液（ラテックス、エマルション、ディスパージョン等）の状態で、塗材として用いることができる。
また、塗材には、非イオン性界面活性剤等を、湿潤剤として添加してもよい。
【手続補正５】
【補正対象書類名】明細書
【補正対象項目名】００６４
【補正方法】変更
【補正の内容】
【００６４】
ただし、本発明は、図２の層構成など、他の層構成を排除するものではない。
保護フィルム６と基材フィルム２とを、間に感熱記録層５を挟んだ状態で、反応硬化型接着剤を介して接着するに際し、反応硬化型接着剤を含む接着層３と、感熱記録層５との間にバリア層４を介在させた、種々の層構成を採用することができる。
その他、本発明の要旨を変更しない範囲で、種々の変更を施すことができる。
【手続補正６】
【補正対象書類名】明細書
【補正対象項目名】００７０
【補正方法】変更
【補正の内容】
【００７０】
表中の各成分は、下記の通り。
樹脂：完全けん化ＢＶＯＨ〔日本合成化学(株)製のニチゴー（登録商標）ＧポリマーＢＶＥ８０４９Ｑ、けん化度：９９．０％以上、指定重合度４５０〕
湿潤剤：非イオン性界面活性剤〔サンノプコ(株)製のＳＮウエットＳ〕
（接着層３）
基材フィルム２の片面に、下記の各成分からなる、ポリエステルポリオール系の反応硬化型接着剤を塗布し、乾燥させて、厚み２μｍの接着層３を形成した。
【手続補正７】
【補正対象書類名】明細書
【補正対象項目名】００７２
【補正方法】変更
【補正の内容】
【００７２】
表中の各成分は、下記の通り。
主剤：ポリエステルポリウレタンポリオール〔ポリエステルポリオール系、ＤＩＣグラフィックス(株)製のディックドライ（登録商標）ＬＸ−５００〕
硬化剤：芳香族ポリイソシアネート〔ＤＩＣグラフィックス(株)製のディックドライＫＷ−７５〕
溶剤：酢酸エチル
（ラミネート）
反応硬化型接着剤が硬化する前の接着層３の上に、予備積層体８の接着面（バリア層４の表面）を密着させた状態で、反応硬化型接着剤を硬化反応させて、基材フィルム２と予備積層体８とが接着層３を介して接着され、一体化された感熱記録媒体１を製造した。
【手続補正８】
【補正対象書類名】明細書
【補正対象項目名】００７３
【補正方法】変更
【補正の内容】
【００７３】
〈実施例２〉
実施例２は、図２に示す層構成の感熱記録媒体１である。各層を形成するフィルム、塗材、および反応硬化型接着剤としては、いずれも実施例１で使用したのと同じものを用いている。
厚み６０〜７１μｍの基材フィルム２の片面に、順に塗剤を塗布して、厚み７μｍの感熱記録層５と、厚み３μｍのバリア層４とを形成して予備積層体９を作製した。
【手続補正９】
【補正対象書類名】明細書
【補正対象項目名】００７９
【補正方法】変更
【補正の内容】
【００７９】
表中の各成分は、下記の通り。
主剤：ポリエステル樹脂〔東洋モートン(株)製のトモフレック（登録商標）ＡＤ−５０２〕
硬化剤：芳香族ポリイソシアネート〔東洋モートン(株)製のトモフレックスＣＡＴ−１０〕
溶剤：酢酸エチル
〈実施例７〉
接着層３を、下記の各成分からなる、ポリエーテルポリオール系の反応硬化型接着剤を用いて形成したこと以外は実施例１と同様にして、図１に示す層構成の感熱記録媒体１を製造した。
【手続補正１０】
【補正対象書類名】明細書
【補正対象項目名】００８１
【補正方法】変更
【補正の内容】
【００８１】
表中の各成分は、下記の通り。
主剤：ポリエーテルポリウレタンポリオール〔ポリエーテルポリオール系、ＤＩＣグラフィックス(株)製のディックドライＬＸ−４７０ＥＬ〕
硬化剤：芳香族ポリイソシアネート〔ＤＩＣグラフィックス(株)製のディックドライＳＰ−６０〕
溶剤：酢酸エチル
〈実施例８〉
接着層３を、下記の各成分からなる、ポリエステルポリオール系の反応硬化型接着剤を用いて形成したこと以外は実施例１と同様にして、図１に示す層構成の感熱記録媒体１を製造した。
【手続補正１１】
【補正対象書類名】明細書
【補正対象項目名】００８３
【補正方法】変更
【補正の内容】
【００８３】
表中の各成分は、下記の通り。
主剤：ポリエステルポリウレタンポリオール〔ポリエステルポリオール系、ＤＩＣグラフィックス(株)製のディックドライＬＸ−５００〕
硬化剤：脂肪族ポリイソシアネート〔ＤＩＣグラフィックス(株)製のディックドライＫＯ−５５〕
溶剤：酢酸エチル
〈実施例９〉
接着層３を、下記の各成分からなる、エポキシ系の反応硬化型接着剤を用いて形成したこと以外は実施例１と同様にして、図１に示す層構成の感熱記録媒体１を製造した。
【手続補正１２】
【補正対象書類名】明細書
【補正対象項目名】００９６
【補正方法】変更
【補正の内容】
【００９６】
比較例３の結果より、基材フィルム２として、透湿性、通気性を有する通常の紙製の基材を用いた場合には、当該基材フィルム２を通して侵入した水分によって地発色を生じることが判った。
さらに比較例４の結果より、バリア層４を省略した場合には、高温高湿下で地発色や発色不良を生じることが判った。